(57)【要約】【課題】  発泡体を押し出して金型から離脱させるために従来必要であった押出ピンを不要にすることができる雄金型、金型構造、及び成形装置を提供する。【解決手段】  成形装置は、凹状に形成される雌金型１１と、雌金型１１と接離することにより、雌金型１１とで発泡体Ｘを成形する凸状の雄金型２１とを有する金型構造を備える。そして、雄金型２１は、発泡体Ｘを成形する際に雌金型１１の内部に配置される凸部３１１を有する凸金型３１と、凸部３１１よりも外側に配置され、発泡体Ｘを成形する際に凸金型３１と雌金型１１との間を閉塞する蓋金型４１とを備え、凸金型３１は、外側から凸部３１１に嵌着する発泡体Ｘを蓋金型４１に係止させることで凸部３１１から離脱させるべく、蓋金型４１よりも雌金型１１から離反するように、蓋金型４１に対して変位可能に構成されることを特徴とする。【選択図】  図７
2013039794.tif 000002
【特許請求の範囲】
【請求項１】
凹状の雌金型と接離することにより、雌金型とで発泡体を成形する凸状の雄金型において、
発泡体を成形する際に雌金型の内部に配置される凸部を有する凸金型と、凸部よりも外側に配置され、発泡体を成形する際に凸金型と雌金型との間を閉塞する蓋金型とを備え、
凸金型は、外側から凸部に嵌着する発泡体を蓋金型に係止させることで凸部から離脱させるべく、蓋金型よりも雌金型から離反するように、蓋金型に対して変位可能に構成されることを特徴とする雄金型。
【請求項２】
凹状に形成される雌金型と、雌金型と接離することにより、雌金型とで発泡体を成形する請求項１に記載の雄金型とを備えることを特徴とする金型構造。
【請求項３】
雌金型を有する雌金型部と、蓋金型を有する蓋金型部とを備えると共に、一方側が雌金型部に固定され、蓋金型が雌金型に接離する際に蓋金型部を長手方向に沿って案内する長尺な案内体を複数備え、
各案内体は、他方側が変位自在となるように、一方側のみが固定される請求項２に記載の金型構造。
【請求項４】
凸金型が蓋金型よりも雌金型から離反すべく、蓋金型が雌金型から離反するのを停止させる停止手段を備える請求項２又は３に記載の金型構造。
【請求項５】
発泡体を成形する際に、熱媒体が流通するための間隙を凸金型と蓋金型との間に形成すべく、凸金型及び蓋金型の少なくとも何れか一方に凹状部を備える請求項２〜４の何れか１項に記載の金型構造。
【請求項６】
請求項２〜５の何れか１項に記載の金型構造と、雌金型と雄金型とを接離させる接離手段とを備えることを特徴とする成形装置。
【発明の詳細な説明】
【技術分野】
【０００１】
本発明は、凹状の雌金型と接離することにより、雌金型とで発泡体を成形する凸状の雄金型に関し、また、その雄金型を備える金型構造に関し、さらに、その金型構造を備える成形装置に関する。
【背景技術】
【０００２】
従来、金型構造として、凹状に形成される雌金型と、雌金型と接離することにより、雌金型とで発泡体を成形する雄金型とを備える金型構造が知られている（例えば、特許文献１）。斯かる金型構造によれば、押出ピンが雌金型（又は雄金型）から突出することで、成形された発泡体を雌金型（又は雄金型）から離脱させることができる。
【先行技術文献】
【特許文献】
【０００３】
【特許文献１】特開２００１−３４１１４９号公報
【発明の概要】
【発明が解決しようとする課題】
【０００４】
ところで、特許文献１に係る金型構造においては、成形された発泡体を雌金型（又は雄金型）から離脱させるために、押出ピンが必要となるため、金型構造を型替えする作業が非常に煩雑となるという問題を生じさせている。また、成形された発泡体を雌金型（又は雄金型）から離脱させる際に、押出ピンが発泡体を押し出すため、成形された発泡体に押し跡が残るという問題も生じさせている。
【０００５】
よって、本発明は、斯かる事情に鑑み、発泡体を押し出して金型から離脱させるために従来必要であった押出ピンを不要にすることができる雄金型と、その雄金型を備える金型構造と、その金型構造を備える成形装置とを提供することを課題とする。
【課題を解決するための手段】
【０００６】
本発明に係る雄金型は、凹状の雌金型と接離することにより、雌金型とで発泡体を成形する凸状の雄金型において、発泡体を成形する際に雌金型の内部に配置される凸部を有する凸金型と、凸部よりも外側に配置され、発泡体を成形する際に凸金型と雌金型との間を閉塞する蓋金型とを備え、凸金型は、外側から凸部に嵌着する発泡体を蓋金型に係止させることで凸部から離脱させるべく、蓋金型よりも雌金型から離反するように、蓋金型に対して変位可能に構成されることを特徴とする。
【０００７】
また、本発明に係る金型構造は、凹状に形成される雌金型と、雌金型と接離することにより、雌金型とで発泡体を成形する前記の雄金型とを備えることを特徴とする。
【０００８】
本発明に係る雄金型及び金型構造によれば、発泡体を成形する際には、凸金型の凸部が雌金型の内部に配置されていると共に、凸部よりも外側に配置される蓋金型が凸金型と雌金型との間を閉塞している。これより、雄金型と雌金型とで発泡体を成形する空間が形成されるため、発泡体を成形することができる。
【０００９】
そして、雌金型から雄金型が離反すると、例えば、成形体が若干縮小したり、雌金型から成形体に向けて圧縮空気が噴かれたりすることにより、成形体が凸部に外側から嵌着する。斯かる状態から、凸金型が蓋金型に対して変位し、凸金型が蓋金型よりも雌金型から離反すると、発泡体が蓋金型に係止されるため、発泡体を凸部から離脱させることができる。
【００１０】
また、本発明に係る金型構造においては、雌金型を有する雌金型部と、蓋金型を有する蓋金型部とを備えると共に、一方側が雌金型部に固定され、蓋金型が雌金型に接離する際に蓋金型部を長手方向に沿って案内する長尺な案内体を複数備え、各案内体は、他方側が変位自在となるように、一方側のみが固定されてもよい。
【００１１】
斯かる構成の金型構造によれば、一方側が雌金型部に固定される長尺な各案内体は、蓋金型が雌金型に接離する際に、蓋金型部を長手方向に沿って案内する。そして、各案内体の一方側のみが固定されているため、各案内体の他方側が変位自在となっている。これにより、蓋金型が雌金型に接離する際に、蓋金型部が伸縮（例えば熱伸縮）しても、その熱伸縮に応じて各案内体の他方側が変位するため、複数の案内体で蓋金型部を確実に案内することができる。
【００１２】
また、本発明に係る金型構造においては、凸金型が蓋金型よりも雌金型から離反すべく、蓋金型が雌金型から離反するのを停止させる停止手段を備えてもよい。
【００１３】
斯かる構成の金型構造によれば、停止手段は、蓋金型が雌金型から離反するのを停止させる。これにより、凸金型が蓋金型よりも雌金型から離反するため、発泡体が蓋金型に係止され、その結果、発泡体を凸部から確実に離脱させることができる。
【００１４】
また、本発明に係る金型構造においては、発泡体を成形する際に、熱媒体が流通するための間隙を凸金型と蓋金型との間に形成すべく、凸金型及び蓋金型の少なくとも何れか一方に凹状部を備えてもよい。
【００１５】
斯かる構成の金型構造によれば、凸金型及び蓋金型の少なくとも何れか一方に凹状部が設けられているため、発泡体を成形する際に、凸金型と蓋金型との間に間隙が形成される。これにより、発泡体を成形する際に、熱媒体（蒸気や冷却水等）が該間隙を流通することで、内部（発泡体を成形する空間）に熱媒体を供給することができる。
【００１６】
また、本発明に係る成形装置は、前記の金型構造と、雌金型と雄金型とを接離させる接離手段とを備えることを特徴とする。
【発明の効果】
【００１７】
以上の如く、本発明によれば、発泡体を押し出して金型から離脱させるために従来必要であった押出ピンを不要にすることができるという優れた効果を奏する。
【図面の簡単な説明】
【００１８】
【図１】本発明の一実施形態に係る成形装置の要部図であって、金型が閉じた状態の断面図を示す。
【図２】同実施形態に係る成形装置の要部図であって、金型が開いた状態の断面図を示す。
【図３】同実施形態に係る雄金型の全体図であって、（ａ）は凸金型と蓋金型とが結合した状態の断面図、（ｂ）は凸金型と蓋金型とが分離した状態の断面図を示す。
【図４】同実施形態に係る成形装置で発泡体を成形する工程を説明する要部図であって、（ａ）は断面図、（ｂ）は（ａ）の拡大断面図を示す。
【図５】同実施形態に係る成形装置で発泡体を成形する工程を説明する要部図であって、（ａ）は断面図、（ｂ）は（ａ）の拡大断面図を示す。
【図６】同実施形態に係る成形装置で発泡体を成形する工程を説明する要部図であって、（ａ）は断面図、（ｂ）は（ａ）の拡大断面図を示す。
【図７】同実施形態に係る成形装置で発泡体を成形する工程を説明する要部図であって、（ａ）は断面図、（ｂ）は（ａ）の拡大断面図を示す。
【図８】本発明の他の実施形態に係る金型構造で発泡体を成形する工程を説明する要部図であって、（ａ）及び（ｂ）はそれぞれ断面図を示す。
【図９】同実施形態に係る金型構造で発泡体を成形する工程を説明する要部図であって、（ａ）及び（ｂ）はそれぞれ断面図を示す。
【図１０】本発明のさらに他の実施形態に係る金型構造で発泡体を成形する工程を説明する要部図であって、（ａ）及び（ｂ）はそれぞれ断面図を示す。
【図１１】同実施形態に係る金型構造で発泡体を成形する工程を説明する要部図であって、（ａ）及び（ｂ）はそれぞれ断面図を示す。
【発明を実施するための形態】
【００１９】
以下、本発明に係る成形装置における一実施形態について、図１〜図７を参酌して説明する。
【００２０】
本実施形態に係る成形装置は、図１〜図３に示すように、凹状の雌金型（「キャビティ」ともいう）１１を有する雌金型部１と、雌金型１１とで発泡体Ｘを成形する凸状の雄金型（「コア」ともいう）２１を有する雄金型部２とを備える。なお、雄金型部２は、雌金型１１の内部に配置される凸状の凸金型３１を有する凸金型部３と、凸金型３１と雌金型１１との間を閉塞する蓋金型４１を有する蓋金型部４とを備える。即ち、雄金型２１は、凸金型３１と蓋金型４１とを備えている。
【００２１】
そして、成形装置は、雌金型１１と雄金型２１とを接離させるべく、雄金型部２を移動させる接離手段（図示していない）５と、雄金型２１が雌金型１１に対して所定方向（本実施形態においては横方向であって、以下「接離方向」という）に沿って接離するように、雄金型部２を案内する案内手段６とを備える。また、成形装置は、発泡体Ｘの成形空間Ｙに原料を充填する充填手段７を備える。
【００２２】
雌金型部１は、雌金型１１を他方側の側部で固定する雌金型本体部１２と、案内手段６の一方側を固定する案内固定部１３とを備える。なお、雌金型本体部１２は、装置本体（図示していない）８に固定されていると共に、案内固定部１３は、雌金型本体部１２の上部に固定されている。
【００２３】
雌金型１１は、矩形状に凹んだ凹部１１１と、側部に配置される開口端部１１２とを備える。また、雌金型１１は、熱媒体が内部及び外部間を流通するための貫通部（図示していない）１１３，…を複数備えている。そして、雌金型１１は、一方側の側部が充填手段７に接続されていると共に、他方側の側部が開放するように配置されている。なお、雌金型１１は、棒状の支持部材１２１を介して、支持されている。
【００２４】
凸金型部３は、凸金型３１を一方側の側部で固定する凸金型本体部３２を備える。そして、凸金型部３は、蓋金型部４と連結するための凸金型連結部３３を備える。さらに、凸金型部３は、案内手段６に案内される凸金型被案内部３４を備える。
【００２５】
凸金型３１は、発泡体Ｘを成形する際（金型１１，２１を閉めた際）に、雌金型１１の内部に配置される矩形状の凸部３１１を備えると共に、発泡体Ｘを成形する際に、蓋金型４１と接合する凸金型接合部３１２を備える。また、凸金型３１は、熱媒体が内部及び外部間を流通するための貫通部（図示していない）３１３，…を複数備えている。
【００２６】
そして、凸金型３１は、接離方向において、蓋金型４１に対して変位可能に構成されている。具体的には、凸金型３１は、接離方向において、蓋金型４１よりも雌金型１１から離反可能に構成されている。なお、凸金型３１は、棒状の支持部材３２１，３２１を介して、支持されている。
【００２７】
凸金型接合部３１２は、発泡体Ｘを成形する際に、熱媒体が流通するための間隙Ｚ，…を蓋金型４１との間に形成すべく、凹状部３１２ａ，…を複数備える。また、凸金型接合部３１２は、接離方向と直交するように配置される板状に形成されており、凸部３１１から外方に突出している。そして、凸金型接合部３１２は、接離方向において他方側から一方側に向けて幅寸法が小さくなるようなテーパ状に形成されており、外周部で蓋金型４１と接合する。
【００２８】
凸金型本体部３２は、装置本体８に対して変位可能に構成されている。また、凸金型連結部３３は、凸金型本体部３２の上部に固定されている。そして、凸金型被案内部３４は、案内手段６が内部に挿通されていると共に、凸金型本体部３２の上部に固定されている。
【００２９】
蓋金型部４は、蓋金型４１を固定する蓋金型本体部４２を備える。そして、蓋金型部４は、凸金型連結部３３と連結するための蓋金型連結部４３を備える。さらに、蓋金型部４は、案内手段６に案内される蓋金型被案内部４４を備える。
【００３０】
蓋金型４１は、発泡体Ｘを成形する際に、凸金型３１と雌金型１１との間を閉塞する蓋部４１１を備える。また、蓋金型４１は、凸金型３１の凸部３１１に挿入され且つ凸金型３１の凸金型接合部３１２と接合する開口状の蓋金型接合部４１２を備える。さらに、蓋金型４１は、発泡体Ｘを成形する際に、雌金型１１と接合する外周部４１３を備える。
【００３１】
蓋部４１１は、環状に形成されていると共に、接離方向と直交するように配置される板状に形成されている。そして、蓋部４１１は、発泡体Ｘを成形する際に、凸金型３１の凸部３１１よりも外側に配置されると共に、雌金型１１の開口端部１１２よりも内側に配置される。
【００３２】
蓋金型接合部４１２は、接離方向において他方側から一方側に向けて開口が小さくなるように形成されている。そして、蓋金型接合部４１２は、凸金型接合部３１２に対応して、内周部がテーパ状に形成されており、内周部で凸金型接合部３１２の外周部と接合する。また、蓋金型接合部４１２は、凸金型接合部３１２が接離方向の一方側に抜けるのを防止すべく、凸金型接合部３１２を係止可能な大きさに形成されている。
【００３３】
蓋金型本体部４２は、装置本体８に対して変位可能に構成されている。また、蓋金型連結部４３は、蓋金型被案内部４４の上部に固定されている。そして、本実施形態において、凸金型連結部３３と蓋金型連結部４３とは、それぞれ磁性体であって、連結と分離とができるように構成されている。また、蓋金型被案内部４４は、案内手段６が内部に挿通されていると共に、蓋金型本体部４２の上部に固定されている。
【００３４】
案内手段６は、凸金型部３を接離方向に沿って案内する凸金型案内部６１を備える。そして、案内手段６は、蓋金型部４を接離方向に沿って案内する蓋金型案内部６２を備える。
【００３５】
凸金型案内部６１は、接離方向に沿って配置される長尺な長尺体６１１，…を複数（図１及び図２には１つのみ図示している）備える。そして、各長尺体６１１は、一方側が雌金型部１の案内固定部１３に固定されていると共に、他方側が装置本体８に固定される支持体９に固定されている。また、各長尺体６１１は、凸金型被案内部３４の内部に挿通して配置されることにより、凸金型部３を接離方向に沿って案内する。
【００３６】
蓋金型案内部６２は、蓋金型４１が雌金型１１に接離する際に蓋金型部４を長手方向に沿って案内する長尺な案内体６２１，…を複数（図１及び図２には１つのみ図示している）備える。また、蓋金型案内部６２は、凸金型３１が蓋金型４１よりも雌金型１１から離反すべく、蓋金型４１が雌金型１１から離反するのを停止させる停止手段６２２と、蓋金型部４を凸金型部３に向けて付勢する弾性の付勢手段６２３とを備える。
【００３７】
各案内体６２１は、長手方向が接離方向に沿うように配置されている。そして、各案内体６２１は、他方側が変位自在となるように、一方側のみが雌金型部１の案内固定部１３に固定されている。具体的には、各案内体６２１は、一方側に周方向に沿って延設される溝部６２１に、案内固定部１３の係止部材１３１が係止され、斯かる係止される部位を支点として揺動可能に構成されている。また、各案内体６２１は、蓋金型被案内部４４の内部に挿通して配置されることにより、蓋金型部４を接離方向に沿って案内する。
【００３８】
停止手段６２２は、案内体６２１の他方側の端部に配置されている。また、停止手段６２２は、案内体６２１よりも大きい径（幅寸法）で形成されており、蓋金型部４の蓋金型被案内部４４を係止可能に構成されている。これにより、停止手段６２２は、蓋金型部４を係止することで、蓋金型部４が雌金型部１から所定距離以上離反するのを防止する。
【００３９】
本実施形態に係る成形装置の構成については以上の通りであり、次に、本実施形態に係る成形装置で発泡体を成形する方法について、図４〜図７を参酌して説明する。
【００４０】
図４に示すように、雄金型２１を雌金型１１に接近させ、雌金型１１と雄金型２１との間にクラックＣが生じる位置（クラッキング位置）に、雄金型２１を移動させる。このとき、付勢手段６２３が蓋金型部４を他方側に向けて付勢しているため、雄金型２１が位置決めされる。そして、雌金型１１と雄金型２１とで形成される成形空間Ｙに、充填手段７から原料樹脂粒子が充填される。
【００４１】
そして、図５に示すように、雄金型２１を雌金型１１にさらに接近させ、金型が閉まる位置（型閉め位置）に、雄金型２１を移動させる。これにより、成形空間Ｙが小さくなるため、充填された原料樹脂粒子が圧縮される。斯かる状態においては、凸金型３１の凸部３１１が雌金型１１の内部に配置されていると共に、蓋金型４１が凸金型３１と雌金型１１との間を閉塞している。
【００４２】
そして、雌金型１１及び雄金型２１の外部から蒸気を供給すると、加熱された原料樹脂粒子が発泡成形することで、発泡体Ｘが成形される。その後、蒸気に代わって冷却水を供給することで、発泡体Ｘが冷却され、さらに、真空引きをすることで、発泡体Ｘが乾燥される。
【００４３】
このとき、熱媒体（蒸気、冷却水）は、雌金型１１の貫通部１１３，…及び凸金型３１の貫通部３１３，…だけでなく、凸金型３１と蓋金型４１との間に形成される間隙Ｚ，…（凸金型３１の凹状部３１２ａ，…）をも介して、成形空間Ｙに供給されている。なお、各貫通部１１３，３１３及び各間隙Ｚ（各凹状部３１２ａ）は、図５において図示していない。
【００４４】
そして、図６に示すように、雄金型２１が雌金型１１から離反すると、若干縮小した成形体Ｘが凸部３１１に外側から嵌着する。このとき、凸金型連結部３３と蓋金型連結部４３とが連結しているため、雄金型２１が雌金型１１から離反し且つ停止手段６２２が蓋金型部４を係止する間の位置（型開き位置）において、凸金型部３と蓋金型部４とは、一体となって移動する。
【００４５】
なお、雄金型２１が雌金型１１から離反する際に、外気に触れた蓋金型部４（蓋金型４１及び蓋金型本体４２）が熱伸縮することがある。しかしながら、各案内体６２１の一方側のみが固定されているため、蓋金型部４の熱伸縮に応じて、各案内体６２１の他方側が変位する。これにより、蓋金型部４が熱伸縮しても、各案内体６２１が蓋金型部４を継続して案内する。
【００４６】
さらに、雄金型２１が雌金型１１から離反すると、図７に示すように、停止手段６２２が蓋金型部４の蓋金型被案内部４４を係止するため、蓋金型４１が雌金型１１から離反するのを停止する一方、凸金型３１は、雌金型１１からさらに離反し、蓋金型４１から分離する位置（離型位置）まで移動する。すると、凸部３１１に嵌着している発泡体Ｘが蓋金型４１の蓋部４１１に係止されるため、発泡体Ｘが凸部３１１から離脱して落下する。
【００４７】
そして、発泡体Ｘを連続的に成形するために、凸金型部３が雌金型１１に接近すると、テーパ状の凸金型接合部３１２とテーパ状の蓋金型接合部４１２とが接合することにより、凸金型部３と蓋金型部４とが位置決めされる。さらに、凸金型連結部３３と蓋金型連結部４３とが連結することにより、凸金型部３と蓋金型部４とが一体となって雌金型部１に接近する。そして、図４に示すように、雄金型２１をクラッキング位置まで移動させる。このようにして、発泡体Ｘを連続的に成形する。
【００４８】
以上より、本実施形態に係る成形装置によれば、発泡体Ｘを成形する際には、凸金型３１の凸部３１１が雌金型１１の内部に配置されていると共に、凸部３１１よりも外側に配置される蓋金型４１が凸金型３１と雌金型１１との間を閉塞している。これより、雄金型２１と雌金型１１とで発泡体Ｘを成形する成形空間Ｙが形成されるため、発泡体Ｘを成形することができる。
【００４９】
そして、雌金型１１から雄金型２１が離反すると、若干縮小した成形体Ｘが凸部３１１に外側から嵌着する。斯かる状態から、凸金型３１が蓋金型４１に対して変位し、凸金型３１が蓋金型４１よりも雌金型１１から離反すると、発泡体Ｘが蓋金型４１に係止されるため、発泡体Ｘを凸部３１１から離脱させることができる。したがって、従来必要であった押出ピンを不要にすることができる。
【００５０】
また、上記実施形態に係る成形装置によれば、一方側が雌金型部１に固定される長尺な各案内体６２１は、蓋金型４１が雌金型１１に接離する際に、蓋金型部４を長手方向に沿って案内する。そして、各案内体６２１の一方側のみが固定されているため、各案内体６２１の他方側が変位自在となっている。これにより、蓋金型４１が雌金型１１に接離する際に、蓋金型部４が熱伸縮しても、その熱伸縮に応じて各案内体６２１の他方側が変位するため、複数の案内体６２１，…が蓋金型部４を継続して案内できる。
【００５１】
また、上記実施形態に係る成形装置によれば、停止手段６２２は、蓋金型４１が雌金型１１から離反するのを停止させる。これにより、凸金型３１が蓋金型４１よりも雌金型１１から離反するため、発泡体Ｘが蓋金型４１に係止され、その結果、発泡体Ｘを凸部３１１から確実に離脱させることができる。
【００５２】
また、上記実施形態に係る成形装置によれば、凸金型３１に凹状部３１２ａが設けられているため、発泡体Ｘを成形する際に、凸金型３１と蓋金型４１との間に間隙Ｚが形成される。これにより、発泡体Ｘを成形する際に、熱媒体が間隙Ｚ，…を流通することで、金型１１，２１内部の成形空間Ｙに熱媒体を供給することができる。
【００５３】
なお、本発明に係る雄金型及び金型構造並びに成形装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５４】
例えば、上記実施形態に係る雄金型２及び金型構造並びに成形装置においては、蓋金型４１は、凸金型３１と雌金型１１との間を閉塞する蓋部４１１が接離方向と直交する面に沿って面一となるように形成される構成を説明したが、斯かる構成に限られない。具体的には、図８及び図９に示すように、蓋金型４１は、蓋部４１１，４１１が接離方向で位置ずれするように形成される構成でもよい。
【００５５】
なお、図８（ａ）においては、雄金型２１がクラッキング位置に位置（移動）することで、雌金型１１と雄金型２１との間にクラックが生じている状態を示し、図８（ｂ）においては、雄金型２１が型閉め位置に位置（移動）することで、金型を閉めて発泡体Ｘが発泡成形されている状態を示している。
【００５６】
そして、図９（ａ）においては、雄金型２１が型開き位置に位置（移動）することで、雄金型２１が雌金型１１から離反し、成形体Ｘが凸部３１１に外側から嵌着している状態を示し、図９（ｂ）においては、雄金型２１が離型位置に位置（移動）することで、凸部３１１に嵌着している発泡体Ｘが蓋金型４１の蓋部４１１に係止され、発泡体Ｘが凸部３１１から離脱して落下する状態を示している。
【００５７】
また、上記実施形態に係る雄金型２及び金型構造並びに成形装置においては、凸金型３１は、先端部に向けて小さくなる凸部３１１を備える構成を説明したが、斯かる構成に限られない。例えば、図１０及び図１１に示すように、凸金型３１は、先端部に向けて大きくなるピン状の凸部３１１，３１１を備える構成でもよい。
【００５８】
なお、図１０（ａ）においては、雄金型２１がクラッキング位置に位置（移動）した状態、図１０（ｂ）においては、雄金型２１が型閉め位置に位置（移動）した状態、図１１（ａ）においては、雄金型２１が型開き位置に位置（移動）した状態、図１１（ｂ）においては、雄金型２１が離型位置に位置（移動）した状態を示す。
【００５９】
また、上記実施形態に係る雄金型２及び金型構造並びに成形装置においては、雌金型１１が装置本体８に対して固定されると共に、雄金型２１が装置本体８に対して変位する構成を説明したが、斯かる構成に限られない。例えば、雌金型１１が装置本体８に対して変位すると共に、雄金型２１が装置本体８に対して固定される構成でもよく、また、雌金型１１及び雄金型２１が装置本体８に対して変位する構成でもよい。要するに、雌金型１１と雄金型２１とが接離する構成であればよい。
【００６０】
また、上記実施形態に係る雄金型２及び金型構造並びに成形装置においては、凸金型３１の凸金型接合部３１２が凹状部３１２ａ，…を備えることで、凸金型３１と蓋金型４１との間に熱媒体を流通させるための間隙Ｚ，…が形成される構成を説明したが、斯かる構成に限られない。
【００６１】
例えば、蓋金型４１の蓋金型接合部４１２が凹状部を備えることで、凸金型３１と蓋金型４１との間に間隙Ｚ，…が形成される構成でもよく、また、凸金型３１及び蓋金型４１の各接合部３１２，４１２がそれぞれ凹状部３１２ａ，…を備えることで、凸金型３１と蓋金型４１との間に間隙Ｚ，…が形成される構成でもよい。
【００６２】
また、上記実施形態に係る雄金型２及び金型構造並びに成形装置においては、雄金型２１が雌金型１１から離反すると、成形体Ｘが若干縮小することにより、成形体Ｘが凸部３１１に外側から嵌着する構成を説明したが、斯かる構成に限られない。例えば、雄金型２１が雌金型１１から離反する際に、雌金型１１から成形体Ｘに向けて圧縮空気が噴かれることにより、成形体Ｘが凸部３１１に外側から嵌着する構成でもよい。
【００６３】
また、本発明に係る成形装置においては、雌金型１１及び雄金型２１を有する金型構造を一つ備える構成でもよく、また、複数（二つ以上）備える構成でもよい。
【符号の説明】
【００６４】
１…雌金型部、２…雄金型部、３…凸金型部、４…蓋金型部、１１…雌金型、２１…雄金型、３１…凸金型、４１…蓋金型、３１１…凸部、６２１…案内体、６２２…停止手段、Ｘ…発泡体、Ｙ…成形空間、Ｚ…間隙
【図１】
2013039794.tif 000003
【図２】
2013039794.tif 000004
【図３】
2013039794.tif 000005
【図４】
2013039794.tif 000006
【図５】
2013039794.tif 000007
【図６】
2013039794.tif 000008
【図７】
2013039794.tif 000009
【図８】
2013039794.tif 000010
【図９】
2013039794.tif 000011
【図１０】
2013039794.tif 000012
【図１１】
2013039794.tif 000013
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
凹状に形成される雌金型と、雌金型と接離することにより、雌金型とで発泡体を成形する凸状の雄金型とを備え、
雄金型は、発泡体を成形する際に雌金型の内部に配置される凸部を有する凸金型と、凸部よりも外側に配置され、発泡体を成形する際に凸金型と雌金型との間を閉塞する蓋金型とを備え、
凸金型は、外側から凸部に嵌着する発泡体を蓋金型に係止させることで凸部から離脱させるべく、蓋金型よりも雌金型から離反するように、蓋金型に対して変位可能に構成される金型構造において、
雌金型を有する雌金型部と、蓋金型を有する蓋金型部とを備えると共に、一方側が雌金型部に固定され、蓋金型が雌金型に接離する際に蓋金型部を長手方向に沿って案内する長尺な案内体を複数備え、
各案内体は、他方側が変位自在となるように、一方側のみが固定されることを特徴とする金型構造。
【請求項２】
凹状に形成される雌金型と、雌金型と接離することにより、雌金型とで発泡体を成形する凸状の雄金型とを備え、
雄金型は、発泡体を成形する際に雌金型の内部に配置される凸部を有する凸金型と、凸部よりも外側に配置され、発泡体を成形する際に凸金型と雌金型との間を閉塞する蓋金型とを備え、
凸金型は、外側から凸部に嵌着する発泡体を蓋金型に係止させることで凸部から離脱させるべく、蓋金型よりも雌金型から離反するように、蓋金型に対して変位可能に構成される金型構造において、
凸金型が蓋金型よりも雌金型から離反すべく、蓋金型が雌金型から離反するのを停止させる停止手段を備えることを特徴とする金型構造。
【請求項３】
凹状に形成される雌金型と、雌金型と接離することにより、雌金型とで発泡体を成形する凸状の雄金型とを備え、
雄金型は、発泡体を成形する際に雌金型の内部に配置される凸部を有する凸金型と、凸部よりも外側に配置され、発泡体を成形する際に凸金型と雌金型との間を閉塞する蓋金型とを備え、
凸金型は、外側から凸部に嵌着する発泡体を蓋金型に係止させることで凸部から離脱させるべく、蓋金型よりも雌金型から離反するように、蓋金型に対して変位可能に構成される金型構造において、
発泡体を成形する際に、熱媒体が流通するための間隙を凸金型と蓋金型との間に形成すべく、凸金型及び蓋金型の少なくとも何れか一方に凹状部を備えることを特徴とする金型構造。
【請求項４】
請求項１〜３の何れか１項に記載の金型構造と、雌金型と雄金型とを接離させる接離手段とを備えることを特徴とする成形装置。
【手続補正３】
【補正対象書類名】明細書
【補正対象項目名】０００１
【補正方法】変更
【補正の内容】
【０００１】
本発明は、凹状の雌金型と接離することにより、雌金型とで発泡体を成形する凸状の雄金型を備える金型構造に関し、さらに、その金型構造を備える成形装置に関する。
【手続補正４】
【補正対象書類名】明細書
【補正対象項目名】０００５
【補正方法】変更
【補正の内容】
【０００５】
よって、本発明は、斯かる事情に鑑み、発泡体を押し出して金型から離脱させるために従来必要であった押出ピンを不要にすることができる雄金型を備える金型構造と、その金型構造を備える成形装置とを提供することを課題とする。
【手続補正５】
【補正対象書類名】明細書
【補正対象項目名】０００６
【補正方法】変更
【補正の内容】
【０００６】
本発明に係る金型構造は、凹状に形成される雌金型と、雌金型と接離することにより、雌金型とで発泡体を成形する凸状の雄金型とを備え、雄金型は、発泡体を成形する際に雌金型の内部に配置される凸部を有する凸金型と、凸部よりも外側に配置され、発泡体を成形する際に凸金型と雌金型との間を閉塞する蓋金型とを備え、凸金型は、外側から凸部に嵌着する発泡体を蓋金型に係止させることで凸部から離脱させるべく、蓋金型よりも雌金型から離反するように、蓋金型に対して変位可能に構成される金型構造において、雌金型を有する雌金型部と、蓋金型を有する蓋金型部とを備えると共に、一方側が雌金型部に固定され、蓋金型が雌金型に接離する際に蓋金型部を長手方向に沿って案内する長尺な案内体を複数備え、各案内体は、他方側が変位自在となるように、一方側のみが固定されることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明に係る金型構造によれば、発泡体を成形する際には、凸金型の凸部が雌金型の内部に配置されていると共に、凸部よりも外側に配置される蓋金型が凸金型と雌金型との間を閉塞している。これより、雄金型と雌金型とで発泡体を成形する空間が形成されるため、発泡体を成形することができる。
【手続補正８】
【補正対象書類名】明細書
【補正対象項目名】００１０
【補正方法】削除
【補正の内容】
【手続補正９】
【補正対象書類名】明細書
【補正対象項目名】００１２
【補正方法】変更
【補正の内容】
【００１２】
また、本発明に係る金型構造は、凹状に形成される雌金型と、雌金型と接離することにより、雌金型とで発泡体を成形する凸状の雄金型とを備え、雄金型は、発泡体を成形する際に雌金型の内部に配置される凸部を有する凸金型と、凸部よりも外側に配置され、発泡体を成形する際に凸金型と雌金型との間を閉塞する蓋金型とを備え、凸金型は、外側から凸部に嵌着する発泡体を蓋金型に係止させることで凸部から離脱させるべく、蓋金型よりも雌金型から離反するように、蓋金型に対して変位可能に構成される金型構造において、凸金型が蓋金型よりも雌金型から離反すべく、蓋金型が雌金型から離反するのを停止させる停止手段を備えることを特徴とする。
【手続補正１０】
【補正対象書類名】明細書
【補正対象項目名】００１４
【補正方法】変更
【補正の内容】
【００１４】
また、本発明に係る金型構造は、凹状に形成される雌金型と、雌金型と接離することにより、雌金型とで発泡体を成形する凸状の雄金型とを備え、雄金型は、発泡体を成形する際に雌金型の内部に配置される凸部を有する凸金型と、凸部よりも外側に配置され、発泡体を成形する際に凸金型と雌金型との間を閉塞する蓋金型とを備え、凸金型は、外側から凸部に嵌着する発泡体を蓋金型に係止させることで凸部から離脱させるべく、蓋金型よりも雌金型から離反するように、蓋金型に対して変位可能に構成される金型構造において、発泡体を成形する際に、熱媒体が流通するための間隙を凸金型と蓋金型との間に形成すべく、凸金型及び蓋金型の少なくとも何れか一方に凹状部を備えることを特徴とする。